(57)【特許請求の範囲】
【請求項１】
磁気回路と、この磁気回路のギャップに挿入されるボイスコイルと、上記磁気回路に結合された外形が長径と短径からなる細長形状のフレームと、内周が上記ボイスコイルに結合され上記フレームの長径方向の外周が上記フレームに結合されるとともに上記フレームの長径方向の外周の外縁部が短径方向に突出した突出部分を設け、この突出部分を上記フレームとの短径方向の結合部としたダンパーと、外周が上記フレームに結合され内周が上記ボイスコイルに結合された振動板とで構成されたスピーカ。
【発明の詳細な説明】
【０００１】
【発明の属する技術分野】
本発明は各種音響機器に使用されるスピーカに関するものである。
【０００２】
【従来の技術】
近年はマルチメディア分野の発展特に情報通信分野の発展が著しい。その中で各種音響機器に使用されるスピーカは従来機器の小形化に伴い口径は自由であるが薄型構造のスピーカ、または厚みはある程度自由であるが口径が小形なスリム構造のスピーカが使用されていた。その中で最近はより機器の小形化が進み、更なる小形スピーカが要求されると共に、ＣＤ−ＲＯＭの搭載による音楽・音声再生が行われることでより高音質なスピーカが要求されている。
【０００３】
以下、従来のスピーカを図４（ａ）、図４（ｂ）により説明する。図４（ａ）はスピーカの平面図、図４（ｂ）は同側断面図である。
【０００４】
同図によると、６は空気振動を発生する振動板であり、この振動板６の外周部はフレーム１に結合保持されている。この振動板６の中間部にはボイスコイル５が結合され、このボイスコイル５はダンパー４を介してフレーム１に振動自在に支持されている。またボイスコイル５の先端にはダストキャップ８が固着されている。
【０００５】
また、外部端子７への配線は、ボイスコイル５よりボイスコイルリード５２を接着剤を用い振動板６上へ引き回し固着させ、振動板６上に開けられた円形のハトメ１０に半田付け接続し、同時に半田付けした錦糸線５１の他端を外部端子７に半田付け接続している。
【０００６】
一方、上記フレーム１の中央凹部には、磁石２、プレート３により磁気回路Ａが構成され、この磁気回路Ａの空隙部にボイスコイル５が保持され、これに流れる駆動電流によりボイスコイル５がピストン運動をし、振動板６・ダストキャップ８が振動し、音波が放射されるものである。
【０００７】
【発明が解決しようとする課題】
しかしながら、上記従来のスピーカは、小形化を図る場合ダンパー４も小形化されることによって、振動系スティフネスに限界を生じ、最低共振周波数ｆoが限られ低音域再生に限界があった。
【０００８】
本発明は上記課題を解決するもので、最低共振周波数が低く、小形ながら低音域の再生を可能とする音質の優れたスピーカを提供するものである。
【０００９】
【課題を解決するための手段】
上記課題を解決するために本発明のスピーカは、磁気回路と、この磁気回路のギャップに挿入されるボイスコイルと、上記磁気回路に結合された外形が長径と短径からなる細長形状のフレームと、内周が上記ボイスコイルに結合され長径方向の外周が上記フレームに結合されるとともに、上記フレームの長径方向の外周の外縁部が短径方向に突出した突出部分を設け、この突出部分を上記フレームとの短径方向の結合部としたダンパーと、外周が上記フレームに結合され内周が上記ボイスコイルに結合された振動板とで構成した。
【００１０】
本発明の請求項１に記載の発明は、磁気回路と、この磁気回路のギャップに挿入されるボイスコイルと、上記磁気回路に結合された外形が長径と短径からなる細長形状のフレームと、内周が上記ボイスコイルに結合され上記フレームの長径方向の外周が上記フレームに結合されるとともに、上記フレームの長径方向の外周の外縁部が短径方向に突出した突出部分を設け、この突出部分を上記フレームとの短径方向の結合部としたダンパーと、外周が上記フレームに結合され内周が上記ボイスコイルに結合された振動板とで構成し、上記ダンパーの短径方向の支持を長径方向の外周の外縁部で結合して行ったので、ダンパーによるダイスコイルの支持は長径側で行われて、ボイスコイルの上下方向の振動の拡大が図れ、スピーカを小形にしても振幅が大きくできて、低音域の再生の拡大と耐入力が大きくできるものである。
【００１３】
以下、本発明のスピーカを一実施の形態の細長形のトラック形状のスピーカについて図１から図３により説明する。
【００１４】
図１（ａ）は、本発明の一実施の形態のスピーカの平面図であり、図１（ｂ）は図１（ａ）のラインＡ−Ａにおける断面図、図２（ａ）は、同要部であるダンパーの正面図、図２（ｂ）は側断面図、図２（ｃ）は同拡大部分図であり、図３は振動板を取り除いた状態の平面図である。
【００１５】
同図によると、１ａは長径と短径とを有する細長形状のフレームであり、２ａは上記フレーム１ａの中央凹部に固着される磁石、３ａはこの磁石２ａの上面に固着されるプレートであり、フレーム１ａと磁石２ａとプレート３ａとで磁気回路Ａａが構成されている。４ａはフレーム１ａと同様の細長形状のダンパーであり、内周をボイスコイル５ａに、外周をフレーム１ａに固着支持されている。７ａは外部端子であり、フレーム１ａの背面に固着されボイスコイル５ａの錦糸線５１ａと結合・導通される。８ａはボイスコイル５ａに固着され磁気回路Ａａ内への異物混入を防ぐダストキャップ、９ａは振動板６ａを挟んでフレーム１ａへ固着されたガスケットである。
【００１６】
なお、ダンパー４ａはダンパー４ａの長手方向の外周の外縁部の一部が短径方向に突出部分４１が４ヶ所設けられており、図３のようにフレーム１ａの内壁にこの突出部分４１を結合している。
【００１７】
以上のように細長形状のダンパー４ａの突出部分４１をフレーム１ａの内壁に結合することで、容易にフレーム１ａとの固着位置が決められ、製造上治具を用いずに固着でき生産性を向上することを可能とするものであるとともに、上記ダンパー４ａの短径方向の支持を長径方向の外周の外縁部で結合して行ったので、ダンパー４ａによるボイスコイル５ａの支持は長径側で行われて、ボイスコイル５ａの上下方向の振動の拡大が図れ、スピーカを小形にしても振幅が大きくできて、低音域の再生の拡大が図れるものとなっている。
【００１８】
また、図２（ｃ）のダンパー４ａの拡大部分図でこのダンパー４ａの形成状態を説明すると、ダンパー４ａは、熱可塑性樹脂よりなる繊維を網目状に織り込んだ織物を加熱加圧して網目状に微少な空隙を有する樹脂成形板として形成したものであり、これから判るように網目部からの空気の抜けが良く、非常に空気抵抗が少なく、また網目状であることにより軽量化が図れるものであり、空気抵抗が少ないことから小形のスピーカでも大きいコンプライアンスが得られ低音域の再生の向上が図れるものである。
【００１９】
また、図２（ａ）、図２（ｂ）によるとダンパー４ａの振動部のコルゲーション４２は内周の円と同心上に拡がっており、円形形状のダンパーの両端を切断した形状としているが、上述したように上記ダンパー４ａは樹脂成形板で形成されているので切断しても切断端面に後加工は不要で極めて容易に形成できるものである。
【００２０】
以上のように空気抵抗が少なく軽量で、大きいコンプライアンスであり、かつ成形金型も安価にて作成できるダンパー４ａを可能とするものである。
【００２１】
また、上記ダンパー４ａは、図１（ｂ）、図２（ｂ）によると、フレーム１ａに結合されたダンパー４ａの外周の外縁のフレーム１ａとダンパー４ａとの結合部４ｂより外側のコルゲーション４２より高く設けた縁立部４３にボイスコイル５ａよりの錦糸線５１ａを固着し、振動板６ａとダンパー４ａの振動部との間の空間に錦糸線５１ａを支持・配線し外部端子７ａまで結合・導通させている。このように、ダンパー４ａの外周の外縁の縁立部４３にボイスコイル５ａよりの錦糸線５１ａを固着させることで錦糸線５１ａは上記縁立部４３に固着された中間部を支点に上記ボイスコイル５ａ側が上下に振動するので錦糸線５１ａの振動も上記中間部と外部端子７ａ間では抑制でき、またボイスコイル５ａと振動板６ａの間に配置されて振動板６ａの振動時の変形の影響を受けることはなく錦糸線の断線防止が行えるので、スピーカを小形にしても振幅が大きくできて、低音域の再生の拡大と耐入力が大きくできるものである。
【００２４】
【発明の効果】
以上のように本発明のスピーカは磁気回路と、この磁気回路のギャップに挿入されるボイスコイルと、上記磁気回路に結合された外形が長径と短径からなる細長形状のフレームと、内周が上記ボイスコイルに結合され長径方向の外周が上記フレームに結合されるとともに、上記フレームの長径方向の外周の外縁部が短径方向に突出した突出部分を設け、この突出部分を上記フレームとの短径方向の結合部としたダンパーと、外周が上記フレームに結合され内周が上記ボイスコイルに結合された振動板とで構成したため、ダンパー４ａの短径方向の支持を長径方向の外周の外縁部で結合して行ったので、ダンパー４ａによるボイスコイル５ａの支持は長径側で行われて、ボイスコイル５ａの上下方向の振動の拡大が図れ、スピーカを小形にしても振幅が大きくできて低音域の再生の拡大が図れるものである。
【図面の簡単な説明】
【図１】（ａ）本発明の一実施の形態のスピーカの平面図
（ｂ）図１（ａ）のラインＡ−Ａにおける断面図
【図２】（ａ）同要部であるダンパーの正面図
（ｂ）同側断面図
（ｃ）同拡大部分図
【図３】振動板を取り除いた状態の平面図
【図４】（ａ）従来のスピーカの平面図
（ｂ）同側断面図
【符号の説明】
１ａ  フレーム
２ａ  磁石
３ａ  プレート
４ａ  ダンパー
５ａ  ボイスコイル
６ａ  振動板
４３  縁立部
５１ａ  錦糸線
Ａａ  磁気回路
【図１】
0003687235.tif 000002
【図２】
0003687235.tif 000003
【図３】
0003687235.tif 000004
【図４】
0003687235.tif 000005